(57)【要約】【課題】  ミキサの入力チャンネルからＭＩＸバスへのセンドレベルを調節するノブを有効活用する。【解決手段】  ノブ９０−１〜９０−１６に対応する内容がディスプレイ内のパラメータ表示枠９２−１〜９２−１６に表示される。ノブ９０−５，９０−６はステレオに係る「２」のＭＩＸバスへのセンドレベルの平均値を操作するノブになり、ノブ９０−９は、５．１サラウンドに係る「５」のＭＩＸバスへのセンドレベルの平均値を操作するノブになる。このように、一のノブで複数のＭＩＸバスへのセンドレベルの平均値を操作することにより、「１６個」のノブ９０−１〜９０−１６によって、「２２」のＭＩＸバスへのセンドレベルを調節できる。【選択図】  図８
2010226437.tif 000002
【特許請求の範囲】
【請求項１】
一の入力チャンネルの音声信号を複数のミキシングバスに供給する際のレベルであるセンドレベルを該ミキシングバス毎に指示するとともに、ユーザによる回動操作を検出し前記センドレベルを指示する複数のノブを有するミキシングコンソールにおいて、
前記ミキシングバスを複数のグループに分類するとともに、分類状態を書き換え可能なテーブルを記憶するテーブル記憶手段であって、前記各グループは、各々、一のミキシングバスから成るモノラル・カテゴリ、二のミキシングバスから成るステレオ・カテゴリ、および三以上のミキシングバスから成るサラウンド・カテゴリのうちの何れかのカテゴリに属するものである、テーブル記憶手段と、
前記モノラル・カテゴリに属するグループに対して何れかの前記入力チャンネルから当該グループに属するミキシングバスへのセンドレベルを設定する一のノブを割り当て、前記ステレオ・カテゴリに属するグループに対して何れかの前記入力チャンネルから当該グループに属する二のミキシングバスへのセンドレベルの平均レベルを設定する一のノブを割り当て、前記サラウンド・カテゴリに属するグループに対して何れかの前記入力チャンネルから当該グループに属する三以上のミキシングバスへのセンドレベルの平均レベルを設定する一のノブを割り当てるノブ割当手段と
を有することを特徴とするミキシングコンソール。
【請求項２】
前記ノブ割当手段は、前記サラウンド・カテゴリに属するグループが、低域効果音のミキシングバスを含む場合には、前記三以上のミキシングバスへのセンドレベルの平均レベルを設定する一のノブに加えて、該低域効果音のミキシングバスへのセンドレベルを個別に設定する他の一のノブを割り当てるものである
ことを特徴とする請求項１記載のミキシングコンソール。
【請求項３】
前記ステレオ・カテゴリに属するグループに対して割り当てられたノブの機能を、前記二のミキシングバスへのセンドレベルを連動して設定する機能、および、前記二のミキシングバスへのセンドレベルのバランスを設定する機能に交互に切り替える機能切替手段
をさらに有することを特徴とする請求項１記載のミキシングコンソール。
【請求項４】
前記各ノブに各々対応して前記各ノブによって設定される前記センドレベルまたは前記平均レベルを表す複数のレベル表示画像を表示する画像表示手段
をさらに具備し、該画像表示手段は、対応するノブに係るグループのカテゴリに応じた表示態様で前記レベル表示画像を表示するものである
ことを特徴とする請求項１記載のミキシングコンソール。
【発明の詳細な説明】
【技術分野】
【０００１】
本発明は、コンサート等における音声信号の調整に用いて好適なミキシングコンソールに関する。
【背景技術】
【０００２】
コンサート等に用いられるミキサにおいて、マイク等から入力された複数系統の音声信号は、入力チャンネルとして割り当てられ、これら音声信号は「入力チャンネル調整部」という箇所にて、音質、音量等の調整が施される。入力チャンネル調整部から出力された音声信号は、複数の「ＭＩＸバス」というバスのうち任意のものに対して任意のレベルで出力され、これらＭＩＸバスにおいては供給された音声信号がミキシングされる。ここで、入力チャンネル調整部からＭＩＸバスに出力される音声信号のレベルを「センドレベル」という。ＭＩＸバスにおいてミキシングされた音声信号は、「ＭＩＸ出力チャンネル」という箇所において再び音質、音量等が調整され、その結果がアンプ、スピーカを介して放音される。
【０００３】
ここで、入力チャンネルの数が「１２８」であるとし、ＭＩＸバスの数が「９６」であるとすると、調整すべきセンドレベルの数は「１２８×９６」になるが、それだけの数のノブをミキサの操作パネルに設けることは非現実的であるため、一般的には、センドレベルの調整を行おうとする一の入力チャンネルを選択し、この選択されたチャンネル（「選択チャンネル」という）に対して、各ＭＩＸバスへのセンドレベルの調整が行われることになる。また、センドレベルの調整を選択チャンネルに限ったとしても、「９６」のノブを操作パネルに設けることは困難であるため、ＭＩＸバスを複数の「レイヤ」に分割し、操作対象のレイヤを切り替えつつ、センドレベルを調節することによって所要ノブ数を減少させる手法が取られている。例えば、「９６チャンネル」のＭＩＸバスを「６レイヤ」に等分割すると、「１レイヤ」あたりのチャンネル数は「１６」になるため、センドレベルを調節するためのノブは「１６」個あればよいことになる。このような処理を行うミキサは、例えば非特許文献１に開示されている。なお、非特許文献１の第５９〜６０頁および第１４１〜１４２頁等には、後述する実施例における「フラットモード」に近似する内容が開示されている。
【先行技術文献】
【非特許文献】
【０００４】
【非特許文献１】「PM5D/PM5D-RH V2 DSP5D 取扱説明書」  ヤマハ株式会社，２００４年
【発明の概要】
【発明が解決しようとする課題】
【０００５】
ところで、各ＭＩＸバスに対するセンドレベルは原則的には独立して設定されるが、複数のＭＩＸバスがステレオまたはサラウンドシステムを構成する場合には、ある入力チャンネルからこれら複数のＭＩＸバスに対するセンドレベルを連動して設定すべき場合がある。かかる場合に、これらＭＩＸバスの各々に対応してノブ等の操作子を割り当てることは、元々少ない数のノブ等を無駄に使うことになりかねない。
この発明は上述した事情に鑑みてなされたものであり、操作パネル上の操作子を有効利用することができ、これによって操作性を高めることができるミキシングコンソールを提供することを目的としている。
【課題を解決するための手段】
【０００６】
上記課題を解決するため本発明にあっては、下記構成を具備することを特徴とする。なお、括弧内は例示である。
請求項１記載のミキシングコンソールにあっては、一の入力チャンネルの音声信号を複数のミキシングバス（１１６−１〜１１６−９６）に供給する際のレベルであるセンドレベルを該ミキシングバス毎に指示するとともに、ユーザによる回動操作を検出し前記センドレベルを指示する複数のノブ（９０−１〜９０−１６）を有するミキシングコンソール（１１００）において、前記ミキシングバスを複数のグループに分類するとともに、分類状態を書き換え可能なテーブル（２００）を記憶するテーブル記憶手段（１１１６）であって、前記各グループは、各々、一のミキシングバスから成るモノラル・カテゴリ、二のミキシングバスから成るステレオ・カテゴリ、および三以上のミキシングバスから成るサラウンド・カテゴリのうちの何れかのカテゴリに属するものである、テーブル記憶手段（１１１６）と、前記モノラル・カテゴリに属するグループに対して何れかの前記入力チャンネルから当該グループに属するミキシングバスへのセンドレベルを設定する一のノブを割り当て、前記ステレオ・カテゴリに属するグループに対して何れかの前記入力チャンネルから当該グループに属する二のミキシングバスへのセンドレベルの平均レベルを設定する一のノブを割り当て、前記サラウンド・カテゴリに属するグループに対して何れかの前記入力チャンネルから当該グループに属する三以上のミキシングバスへのセンドレベルの平均レベルを設定する一のノブを割り当てるノブ割当手段（ＳＰ１２）とを有することを特徴とする。
さらに、請求項２記載の構成にあっては、請求項１記載のミキシングコンソールにおいて、前記ノブ割当手段（ＳＰ１２）は、前記サラウンド・カテゴリに属するグループが、低域効果音（ＬＦＥ）のミキシングバスを含む場合には、前記三以上のミキシングバスへのセンドレベルの平均レベルを設定する一のノブに加えて、該低域効果音（ＬＦＥ）のミキシングバスへのセンドレベルを個別に設定する他の一のノブを割り当てるものであることを特徴とする。
さらに、請求項３記載の構成にあっては、請求項１記載のミキシングコンソールにおいて、前記ステレオ・カテゴリに属するグループに対して割り当てられたノブの機能を、前記二のミキシングバスへのセンドレベルを連動して設定する機能、および、前記二のミキシングバスへのセンドレベルのバランスを設定する機能に交互に切り替える機能切替手段（ＳＰ２０〜ＳＰ２８）をさらに有することを特徴とする。
さらに、請求項４記載の構成にあっては、請求項１記載のミキシングコンソールにおいて、前記各ノブ（９０−１〜９０−１６）に各々対応して前記各ノブによって設定される前記センドレベルまたは前記平均レベルを表す複数のレベル表示画像（９４−１〜９４−１６）を表示する画像表示手段（８２ａ）をさらに具備し、該画像表示手段（８２ａ）は、対応するノブ（９０−１〜９０−１６）に係るグループのカテゴリに応じた表示態様で前記レベル表示画像（９４−１〜９４−１６）を表示するものであることを特徴とする。
【発明の効果】
【０００７】
このように、本発明によれば、ステレオ・カテゴリまたはサラウンド・カテゴリに属するグループに含まれる複数のミキシングバスに対して、これらミキシングバスへのセンドレベルの平均レベルを設定する一のノブを割り当てる各一のノブを割り当てるから、割り当てるノブの数を節約でき、操作パネル上の操作子を有効利用することができる。
【図面の簡単な説明】
【０００８】
【図１】本発明の一実施例の音響システムのブロック図である。
【図２】コンソール１１００およびエンジン１３００のブロック図である。
【図３】エンジン１３００等において実現されるアルゴリズムのブロック図である。
【図４】該アルゴリズムの要部のブロック図である。
【図５】コンソール１１００の平面図である。
【図６】ＭＩＸバス管理テーブル２００の内容を示す図である。
【図７】フラットモードにおけるコンソール１１００の要部の平面図である。
【図８】集約モードにおけるコンソール１１００の要部の平面図である。
【図９】ＭＩＸバス設定ウィンドウ２５０の構成を示す図である。
【図１０】本実施例における制御プログラムのフローチャートである。
【図１１】集約モード設定処理ルーチンのフローチャートである。
【図１２】パラメータ表示枠９２−ｎの表示態様の説明図である。
【発明を実施するための形態】
【０００９】
1．実施例のハードウエア構成
以下、この発明の一実施例の音響システムの構成を図１を参照し説明する。
図１において１０００はＩＰ網であり、デジタル音声および各種制御信号をＩＰパケットとして伝送する。１３００はエンジンであり、複数チャンネルの音声信号をＩＰ網１０００を介して受信し、これら音声信号に対してイコライジング、ミキシング、エフェクト等の処理を施し、その結果である複数チャンネルの音声信号をＩＰパケットに変換し、ＩＰ網１０００を介して出力する。１４００はマイク・コントローラであり、複数のマイク１４０２から入力された音声信号をＩＰパケットに変換し、ＩＰ網１０００を介してエンジン１３００に出力する。１５００はアンプコントローラであり、ＩＰ網１０００を介してエンジン１３００から受信したＩＰパケットを所定形式のデジタル信号に変換し、複数のアンプ１５０２に供給する。
【００１０】
アンプ１５０２は、供給されたデジタル信号をアナログ信号に変換するとともに増幅し、各々に接続された複数のスピーカ１５０４を介して放音する。１６００はその他音声機器であり、例えばハードディスクレコーダ等から構成される。その他音声機器１６００は、ＩＰ網１０００を介してエンジン１３００との間で、ＩＰパケットとしての音声信号を入出力する。１１００は、ユーザによって操作されるメイン・コンソールであり、エンジン１３００、マイク・コントローラ１４００、アンプコントローラ１５００等に対し、各種パラメータの設定を指令する。すなわち、メイン・コンソール１１００においてパラメータの設定を指示する操作がなされると、その内容は制御信号のＩＰパケットとしてエンジン１３００に供給され、エンジン１３００におけるパラメータに反映される。１２００はサブ・コンソールであり、必要に応じてメイン・コンソール１１００に接続される。なお、図１の例においてはサブ・コンソール１２００は１台のみ図示されているが、サブ・コンソール１２００は最大４台までメイン・コンソール１１００に接続することが可能である。
【００１１】
次に、メイン・コンソール１１００の詳細構成を図２(a)を参照し説明する。図において１１１０はパネル表示器群であり、操作パネル上に設けられたドットマトリクス・ディスプレイ、ＬＥＤ等から構成されている。１１１２はパネル操作子群であり、操作パネル上に設けられたボタン、ノブ等から構成されている。１１１４はＣＰＵであり、メモリ１１１６（ＲＯＭおよびＲＡＭ）に格納されたプログラムに基づいて、ＣＰＵバス１１２０を介して他の構成要素を制御する。なお、メモリ１１１６のＲＡＭには、電源がオフされた場合にも記憶内容を保持する不揮発性領域が設けられている。１１２２は電動フェーダ群であり、ユーザの操作に基づいて各入出力チャンネル等の信号レベルを調節するために設けられている。さらに、電動フェーダ群１１２２は、ＣＰＵバス１１２０を介して操作コマンドが供給されると、その操作位置が自動設定されるように構成されている。
【００１２】
１１２４は音声Ｉ／Ｏ部であり、アナログ音声信号が入力されると、これをデジタル音声信号に変換し、オーディオバス１１３０を介して出力するとともに、オーディオバス１１３０を介して供給されたデジタル音声信号をアナログ音声信号に変換し、外部に出力する。１１２６はＤＳＰ（デジタル・シグナル・プロセッサ）であり、オーディオバス１１３０を介して供給された音声信号に対してイコライジング処理等を施す。本実施例の音響システムにおいては、大部分の音声信号処理はエンジン１３００において実行されるが、トークバックやモニタ等の小規模な音声信号処理および入出力は、メイン・コンソール１１００においても実行される。音声Ｉ／Ｏ部１１２４およびＤＳＰ１１２６は、このような音声信号処理および入出力を行うためのものである。
【００１３】
１１２８はネットワークＩ／Ｏ部であり、オーディオバス１１３０を介して供給された制御信号およびＣＰＵバス１１２０を介して供給された音声信号をＩＰパケットに変換しＩＰ網１０００に出力するとともに、ＩＰ網１０００から受信したＩＰパケットを制御信号または音声信号に変換し、ＣＰＵバス１１２０またはオーディオバス１１３０を介して出力する。１１１８はコンソールＩ／Ｏ部であり、サブ・コンソール１２００との間で制御信号および音声信号を入出力する。１１３２はその他Ｉ／Ｏ部であり、その他の機器、例えば汎用パーソナルコンピュータとの間でデータを入出力する。
【００１４】
次に、エンジン１３００の詳細構成を図２(b)を参照し説明する。図において１３１０はパネル表示器群、１３１２はパネル操作子群であり、エンジン１３００に対する簡単な設定および表示を行うためのものである。１３１４はＣＰＵ、１３１６はメモリ（ＲＯＭおよびＲＡＭ）、１３２６はＤＳＰ、１３２８はネットワークＩ／Ｏ部、１３３０はオーディオバス、１３３２はその他Ｉ／Ｏ部であり、上記メイン・コンソール１１００の構成要素１１１４、１１１６、１１２６、１１２８、１１３０、１１３２と略同様に構成されている。但し、ＤＳＰ１３２６は音響システムの大部分のミキシングおよびイコライジング機能を担うため、ＤＳＰ１１２６よりも大規模に構成されている。なお、エンジン１３００は、それ自体でＤＳＰ１３２６のパラメータの値を調整するものではなく、メイン・コンソール１１００から受信する信号処理パラメータの値に基づいて、ＤＳＰ１３２６における各パラメータの値が調整される。
【００１５】
2．ミキシングアルゴリズム構成
次に、エンジン１３００等において実現されるアルゴリズムの内容を図３を参照し説明する。なお、当該アルゴリズムはＤＳＰ１３２６に設定されるプログラムによって実現されるものであり、該プログラムは、ＣＰＵ１３１４の制御の下、メモリ１３１６等からＤＳＰ１３２６にロードされる。また、当該アルゴリズムにおける各種パラメータ（例えば、スイッチのオン／オフ状態や増幅部のゲイン等）は、メイン・コンソール１１００から、ＩＰ網１０００を介して、ネットワークＩ／Ｏ部１３２８に供給される制御信号に基づいて、ＣＰＵ１３１４によって設定される。
【００１６】
図３において１０２はアナログ入力部であり、マイクレベルまたはラインレベルのアナログ音声信号を受信すると、これをデジタル音声信号に変換し、ＩＰ網１０００を介してエンジン１３００に供給する。１０４はデジタル入力部であり、デジタル音声信号を受信すると、これをエンジン１３００用のフォーマットに変換し、ＩＰ網１０００を介してエンジン１３００に供給する。これらアナログ入力部１０２およびデジタル入力部１０４は、図１におけるマイク・コントローラ１４００およびその他音声機器１６００によって実現されるものである。また、１２８はアナログ出力部であり、エンジン１３００からＩＰ網１０００を介して供給されたデジタル音声信号をアナログ音声信号に変換し外部に出力する。１３０はデジタル出力部であり、エンジン１３００からＩＰ網１０００を介して供給された内部フォーマットのデジタル音声信号を所定フォーマット（ＡＥＳ／ＥＢＵ，ＡＤＡＴ，ＴＡＳＣＡＭ等）のデジタル音声信号に変換し出力する。これらアナログ出力部１２８およびデジタル出力部１３０は、アンプコントローラ１５００およびその他音声機器１６００によって実現されるものである。
【００１７】
以上述べた構成は、エンジン１３００とは別体のハードウエアにより実現されているが、上記以外の構成はエンジン１３００において動作するプログラム（ＤＳＰ１３２６用のマイクロプログラムを含む）によって実現されている。１１２は入力チャンネル調整部であり、コンソール１１００，１２００の電動フェーダおよびその他操作子の操作に基づいて、「１２８」チャンネルの入力チャンネルに対して音量・音質等の調整を行う。１１０はステレオ入力チャンネル調整部であり、最大４チャンネルのステレオ入力チャンネルに対して音量・音質等の調整を行う。なお、「１」系統のステレオの音声信号は左右「２」系統の音声信号から構成されていることとする。
【００１８】
１１４はエフェクトリターン部であり、「４」チャンネルの音声信号に対して音量・音質等の調整を行う。なお、エフェクトリターン部１１４は、主としてエフェクト処理の施された音声信号に割り当てられる。１０８は入力パッチ部であり、入力部１０２，１０４等の複数の入力ポートから供給されたデジタル音声信号を、ステレオ入力チャンネル調整部１１０、入力チャンネル調整部１１２、エフェクトリターン部１１４の任意の入力チャンネルに割り当てる。１０６は内蔵エフェクタ部であり、最大「８」ユニットのエフェクタから成り、供給された音声信号に対して、リバーブ、ディレイ、モジュレーション等のエフェクト処理を施し、その結果を入力パッチ部１０８を介してエフェクトリターン部１１４等に供給する。
【００１９】
１１６はＭＩＸバス群であり、「９６」系統のＭＩＸバスから構成されている。なお、これらＭＩＸバスを個別に指すときは、「ＭＩＸバス１１６−ｎ」（１≦ｎ≦９６）のように表記する。各ＭＩＸバスにおいては、各入力チャンネル、各ステレオ入力チャンネルおよび各エフェクトリターン（以下、「入力チャンネル等」という）のデジタル音声信号のうち当該ＭＩＸバスに供給されたものがミキシングされる。各入力チャンネル等においては、音声信号をＭＩＸバスに供給するか否かを各ＭＩＸバス毎に設定することができ、供給する場合には各ＭＩＸバスに対するセンドレベルやフェードモード（プリフェード／ポストフェード）等も系統毎に独立して設定することができる。１１８はステレオバスであり、「１」系統のステレオバスから構成されている。ステレオバスの構成は上記ＭＩＸバスと同様である。
【００２０】
１２０はステレオ出力チャンネル部であり、該ステレオバスにおけるミキシング結果のレベル調節および音質調節を行なう。１２２はＭＩＸ出力チャンネル部であり、上記各ＭＩＸバスにおけるミキシング結果のレベル調節および音質調節を行なう。１２３はマトリクスバス群であり、ステレオ出力チャンネル部１２０およびＭＩＸ出力チャンネル部１２２の出力信号をさらにミキシングする「４８」チャンネルのマトリクスバスから構成されている。１２４はマトリクス出力チャンネル部であり、マトリクスバス群１２３におけるミキシング結果のレベル調節および音質調節を行なう。１２６は出力パッチ部であり、ステレオ出力チャンネル部１２０、ＭＩＸ出力チャンネル部１２２およびマトリクス出力チャンネル部１２４の出力信号を、各出力部１２８，１３０または上記内蔵エフェクタ部１０６の任意のユニットに割り当てる。
【００２１】
次に、入力チャンネル調整部１１２、ステレオ出力チャンネル部１２０およびＭＩＸ出力チャンネル部１２２におけるアルゴリズム構成の詳細を図４を参照し説明する。図において１１２−ｎは第ｎ入力チャンネル調整部であり、第ｎ入力チャンネル（１≦ｎ≦１２８）における音質・音量調整を行う。また、１２２−ｍは第ｍＭＩＸ出力チャンネル部であり、第ｍＭＩＸ出力チャンネル（１≦ｍ≦９６）における音質・音量調整を行う。第ｎ入力チャンネル調整部１１２−ｎの内部において１５０は音質調整部であり、第ｎ入力チャンネルにおけるゲート処理、コンプレッサ処理、イコライザ処理等を行う。ここで、「ゲート処理」とは、不要なノイズを自動的にカットする処理であり、「コンプレッサ処理」とは、ダイナミックレンジを圧縮または伸長する処理であり、「イコライザ処理」とは、パラメトリックイコライザによって各チャンネルの音声信号の周波数特性を設定する処理である。
【００２２】
１５２はチャンネル遅延部であり、必要に応じて第ｎ入力チャンネルの音声信号を遅延させる。１５４は音量調整部であり、第ｎ入力チャンネルの音声信号のゲインを調節する。１５６はオンオフ切換部であり、第ｎ入力チャンネル全体のオンオフを切り換える。１６２−１〜１６２−９６は信号切換部であり、第ｎ入力チャンネルから「９６」系統のＭＩＸバスに各々出力され得る音声信号をフェードモードに応じて切り換える。すなわち、フェードモードが「プリフェード」に設定されると、チャンネル遅延部１５２の出力信号が選択され、「ポストフェード」に設定されるとオンオフ切換部１５６の出力信号が選択される。１６４−１〜１６４−９６はセンドレベル調節部であり、各ＭＩＸバスに出力する信号のゲインすなわちセンドレベルを調節する。
【００２３】
１６６−１〜１６６−９６はセンドオンオフ切換部であり、各ＭＩＸバスに対する音声信号供給のオン／オフ状態を設定する。１５８はステレオセンドオンオフ切換部であり、第ｎ入力チャンネルの音声信号をステレオバス１１８に供給するか否かを切り換える。１６０はＰＡＮ設定部であり、該音声信号をステレオバス１１８に供給する際の左右の音量バランスを設定する。次に、ステレオ出力チャンネル部１２０の内部において１７０は音質調整部であり、ステレオ出力チャンネルにおけるリミッタ処理、コンプレッサ処理、イコライザ処理（周波数特性の調整）等を行う。１７２−Ｌ，Ｒは音量調整部であり、ステレオ出力チャンネルの左右の出力ゲインを調節する。１７４−Ｌ，Ｒはオンオフ切換部であり、ステレオ出力チャンネルの左右のオン／オフ状態を切り換える。
【００２４】
１７６−Ｌ，Ｒはチャンネル遅延部であり、ステレオ出力チャンネルの音声信号を必要に応じて遅延する。次に、第ｍＭＩＸ出力チャンネル部１２２−ｍの内部において１８０は音質調整部であり、上述した音質調整部１５０と同様に、第ｍＭＩＸ出力チャンネルにおけるリミッタ処理、コンプレッサ処理、イコライザ処理等を行う。１８２は音量調整部であり、第ｍＭＩＸ出力チャンネルの出力ゲインを調節する。１８４はオンオフ切換部であり、第ｍＭＩＸ出力チャンネルのオン／オフ状態を切り換える。１８６はチャンネル遅延部であり、第ｍＭＩＸ出力チャンネルの音声信号を必要に応じて遅延する。
【００２５】
3．データ構成
メイン・コンソール１１００のメモリ１１１６には、図６に示すＭＩＸバス管理テーブル２００が記憶されている。該テーブル内において２０２はチャンネル番号欄であり、ＭＩＸバス１１６−１〜１１６−９６に対して、「Mix 1」〜「Mix 96」の番号が順次記憶されている。２０４はカテゴリ欄であり、「モノラル」「ステレオ」、または「サラウンド」の何れかのカテゴリが記憶される。ここで、「モノラル」とは、一のＭＩＸバスの音声信号が他のＭＩＸバスの音声信号とは独立しており、当該ＭＩＸバスに対するセンドレベルを独立して調節すべきカテゴリである。また、「ステレオ」とは、二のＭＩＸバスの音声信号がグループ（ペア）を構成し、両ＭＩＸバスに対するセンドレベルを連動して調節すべきカテゴリである。
【００２６】
また、「サラウンド」とは、三以上のＭＩＸバスの音声信号がグループを構成し、これらＭＩＸバスに対するセンドレベルを連動して調節すべきカテゴリである。また、より詳細には、「サラウンド」のカテゴリは、実際は「３．１サラウンド」、「５．１サラウンド」、「６．１サラウンド」、「４チャンネルステレオ」等に区別される。また、カテゴリ欄２０４においては、各カテゴリ内における当該ＭＩＸバスの音声信号の信号種別も記憶される。例えば、カテゴリが「ステレオ」であれば、信号種別としてＬ（左），Ｒ（右）の別が記憶される。
【００２７】
また、カテゴリが「サラウンド」である場合は、サラウンドの種類に応じて信号種別も異なるが、５．１サラウンドシステムにおいては、Ｌ（左フロント），Ｃ（センター），Ｒ（右フロント），Ｌｓ（左サラウンド），Ｒｓ（右サラウンド），ＬＦＥ（低域効果音）の信号種別が記憶される。なお、ＬＦＥ（低域効果音）とは、低域の効果音のみを出力するチャンネルであり、１２０Ｈｚ以下の周波数成分を有する（１２０Ｈｚ以上の周波数帯域をカットした）重低音を補助的に出力することで、音響に迫力を加えるためのものである。このように周波数帯域をカットする処理は、ＬＦＥに対応する第ｍＭＩＸ出力チャンネル部１２２−ｍの音質調整部１８０において行われる。人間の聴覚は、低音域の方向性を判別する能力に乏しいため、ＬＦＥは音像の定位には寄与せず、音像はＬＦＥ以外のチャンネルによって決定される。
【００２８】
２０６は名称欄であり、当該ＭＩＸ出力チャンネルの名称が記憶される。但し、同一のグループを構成するチャンネルには、同一の名称が記憶される。２０８はグループＩＤ欄であり、グループ毎に一意の識別番号を記憶する。図６の例にあっては、ＭＩＸバス１１６−５，１１６−６には、共に同一の識別番号「５」が付与されているため、両者によってステレオのグループが構成されていることが解る。同様に、ＭＩＸバス１１６−７，１１６−８には、共に同一の識別番号「６」が付与され、両者によってステレオのグループが構成されている。
【００２９】
また、ＭＩＸバス１１６−１１〜１１６−１６には、共に同一の識別番号「９」が付与され、これらによって「５．１サラウンド」のグループが構成されている。他のＭＩＸバスは、各々が「モノラル」のグループを構成している。なお、ＭＩＸバス管理テーブル２００内においてチャンネル番号欄２０２は固定であるが、カテゴリ欄２０４、名称欄２０６の内容はユーザが任意に設定することができる。また、グループＩＤ欄２０８における識別番号は、ユーザによるカテゴリ欄２０４の設定結果に基づいて自動的に付与される。
【００３０】
4．メイン・コンソール１１００の外観構成
4．1．全体構成
次に、メイン・コンソール１１００の平面図を図５に示す。メイン・コンソール１１００操作パネル（上板）は、前パネル１１０２と、後パネル１１０４とから構成される。前パネル１１０２において、７２は音質調整部であり、選択された一のチャンネル（以下、「選択チャンネル」という）に対して、音質調整部１５０，１７０，１８０およびチャンネル遅延部１５２，１７６−Ｌ，Ｒ、１８６等のパラメータの詳細設定を行うための各種操作子および表示器から構成されている。また、７０−１〜７０−１６はチャンネルストリップであり、指定された「レイヤ」に属する「１６」のチャンネルに対して、フェーダレベル等の各種パラメータを設定する操作子等から構成されている。
【００３１】
一のチャンネルストリップは、電動フェーダ２、文字表示器４、ＣＵＥボタン６、ｆボタン８、ＳＥＬボタン１０、オン／オフ・ボタン１２、ノブ１４，１８から構成されている。７４は小型ディスプレイであり、ドットマトリクスディスプレイと、その上面に貼付されたタッチパネルとから構成されている。小型ディスプレイ７４は、シーンリコール、ユーザ定義機能、その他各種動作モードについての表示および操作を行うためのものである。また、７６−Ｌ，７６−Ｒは、ステレオ出力チャンネル部１２０専用のチャンネルストリップである。
【００３２】
次に、メイン・コンソール１１００の後パネル１１０４において、８０はセンドレベル調整部であり、選択チャンネルが入力チャンネル等であるとき、該選択チャンネルから、各ＭＩＸバスへのセンドレベル（図４のセンドレベル調節部１６４−１〜１６４−９６のゲイン）等を設定する。８２は左メインディスプレイ、８４は右メインディスプレイであり、各々ドットマトリクスディスプレイと、その上面に貼付されたタッチパネルとから構成されている。左右メインディスプレイ８２，８４は、各々複数の領域に分かれており、各領域毎に機能が異なる。左メインディスプレイ８２の左端において８２ａは選択チャンネル領域であり、音質調整部７２およびセンドレベル調整部８０とともに、選択チャンネルにおける各種パラメータの表示および設定を行う。
【００３３】
８２ｂ，８４ｂはナビゲーション領域であり、チャンネルストリップ７０−１〜７０−１６に対して、割り当てるレイヤを切り替えるためのものである。８２ｅ，８４ｅはチャンネル表示領域であり、対応するチャンネルストリップ７０−１〜７０−１６に割り当てられたチャンネルのチャンネル番号とチャンネル名とが表示される。８２ｃ，８４ｃはパラメータ領域であり、対応するチャンネルストリップ７０−１〜７０−１６に係る各種パラメータの内容および設定用のボタン等が表示される。
【００３４】
4．2．センドレベル調整部８０，選択チャンネル領域８２ａの詳細構成
次に、図７を参照し、センドレベル調整部８０と、左メインディスプレイ８２における選択チャンネル領域８２ａとの詳細構成を説明する。図７においてセンドレベル調整部８０の右上部には、「１６」個のノブ９０−１〜９０−１６が「８行２列」に整列して設けられている。各ノブは、図示せぬロータリーエンコーダに結合され、各ロータリーエンコーダによってその回動角度が検出される。また、ノブ９０−１〜９０−１６はプッシュボタンも兼ねており、回動操作とともに押下操作も検出されるようになっている。
【００３５】
また、選択チャンネル領域８２ａの左上部には、「１６」のパラメータ表示枠９２−１〜９２−１６が「８行２列」に整列して表示されている。ここで、パラメータ表示枠９２−ｎ（１≦ｎ≦１６）は、ノブ９０−ｎに対して左右方向に沿って揃う位置に表示され、ノブ９０−ｎに関連するパラメータ値等を表示する。パラメータ表示枠９２−１の内部において９４−１はノブ画像であり、ノブ９０−１に対応するパラメータ値の概算値を、その表示角度によって表示する。９５−１はチャンネル名表示部であり、ノブ９０−１に対応するＭＩＸ出力チャンネルのチャンネル名を表示する。このチャンネル名は、ユーザが指定する任意の文字列によって構成されている。９６−１はパラメータ名表示部であり、ノブ９０−１に割り当てられているパラメータ名を表示する。
【００３６】
９７−１はパラメータ値表示部であり、ノブ９０−１に対応するパラメータ値（すなわちノブ画像９４−１によって概算値が表示されているパラメータ値）の詳細な値を、文字列によって表示する。以上、パラメータ表示枠９２−１の詳細について説明したが、他のパラメータ表示枠９２−２〜９２−１６においても、同様にノブ画像９４−２−９４−１６、チャンネル名表示部９５−２〜９５−１６、パラメータ名表示部９６−２〜９６−１６、およびパラメータ値表示部９７−２〜９７−１６が表示されている。但し、図面が煩雑になるため、これらの要素に対して、図中では個別に符号は付していない。
【００３７】
5．実施例の動作
5．1．センドレベルの設定
次に、本実施例の動作について説明するが、最初に図４に示したセンドレベル調節部１６４−１〜１６４−９６におけるセンドレベルの設定方法を説明しておく。上述したように、各ＭＩＸバスは一または複数のＭＩＸバスから構成される何れかのグループに属しているが、第ｎ入力チャンネル調整部１１２−ｎから当該グループにおける平均のセンドレベル（以下「グループ平均レベル」という）が定められる。そして、当該グループに対して、第ｎ入力チャンネルの音声信号に係る音像位置が決定されると、その音像位置を実現するために、当該グループ内において相対的なレベル（以下「バランスレベル」という）が定められる。
【００３８】
レベルを「デシベル」で表記した場合には、センドレベルは、グループ平均レベルとバランスレベルとの和によって求められる。なお、グループのカテゴリが「モノラル」である場合には、バランスレベルは常に「０」であるため、グループ平均レベルがそのままセンドレベルになる。但し、サラウンドにおいては、グループ平均レベルとは、ＬＦＥ（低域効果音）を除くチャンネルの平均センドレベルである。サラウンドにおいて、ＬＦＥのセンドレベルは、他のチャンネルのレベルはとは独立して設定される。
【００３９】
5．2．管理パラメータ設定処理
ユーザが小型ディスプレイ７４において所定の操作を行うと、上記ＭＩＸバス管理テーブル２００（図６）の内容を設定するために、図９に示すＭＩＸバス設定ウィンドウ２５０が左右メインディスプレイ８２，８４に表示される。図９において２５２はチャンネル番号欄であり、上記ＭＩＸバス管理テーブル２００（図６）におけるチャンネル番号欄２０２の内容が表示される。また、２５４はカテゴリ選択欄であり、管理テーブル２００におけるカテゴリ欄２０４の内容を設定するために、各チャンネル毎に設けられたリストボックスによって構成されている。
【００４０】
２５６は名称設定欄であり、管理テーブル２００における名称欄２０６の内容を設定するために、各チャンネル毎に設けられたテキストボックスによって構成されている。２６０はＯＫボタンであり、ユーザによって押下されると、ＭＩＸバス設定ウィンドウ２５０における設定内容を反映するようにＭＩＸバス管理テーブル２００の内容が更新され、しかる後にＭＩＸバス設定ウィンドウ２５０が閉じられる。また、２６２はキャンセルボタンであり、ユーザによって押下されると、管理テーブル２００を更新することなくＭＩＸバス設定ウィンドウ２５０が閉じられる。
【００４１】
上記カテゴリ選択欄２５４のリストボックスにおいては、モノラル、ステレオ、サラウンド等のカテゴリが選択できるが、カテゴリを直接的に選択可能なリストボックスは奇数チャンネル（「Mix 1」，「Mix 3」，「Mix 5」，…）に限られており、偶数チャンネルのカテゴリは、番号が「１」だけ小さい奇数チャンネルのカテゴリに応じて自動的に決定される。例えば、ＭＩＸバス１１６−１（Mix 1）のカテゴリがモノラルに設定されると、ＭＩＸバス１１６−２（Mix 2）は自動的に別グループのモノラルに設定される。また、例えば、奇数チャンネルのカテゴリがステレオに設定されると、当該奇数チャンネルの信号種別がステレオＬ（左）に設定され、「１」だけ大きい偶数チャンネルの信号種別が同一グループのステレオＲ（右）に設定される。
【００４２】
図示の例にあっては、ＭＩＸバス１１６−５（Mix 5）のカテゴリが「ステレオ」に設定された結果、その信号種別がステレオＬ（左）に設定されるとともに、「１」だけ大きい偶数チャンネルであるＭＩＸバス１１６−６（Mix 6）の信号種別が同一グループのステレオＲ（右）に設定されている。また、奇数チャンネルにおいて「５．１サラウンド」のカテゴリが設定されると、当該チャンネルを始点とする「６」チャンネルのＭＩＸバスが確保され、これらによってサラウンドのグループが形成される。これら信号種別はＭＩＸバスのチャンネル番号順に、Ｌ（左フロント），Ｃ（センター），Ｒ（右フロント），Ｌｓ（左サラウンド），Ｒｓ（右サラウンド），ＬＦＥ（低域効果音）に設定される。図示の例にあっては、ＭＩＸバス１１６−１１（Mix 11）のカテゴリが「５．１サラウンド」に設定された結果、ＭＩＸバス１１６−１１〜１１６−１６によって対応するグループが形成され、これらの信号種別がＬ（左フロント），Ｃ（センター），Ｒ（右フロント），Ｌｓ（左サラウンド），Ｒｓ（右サラウンド），ＬＦＥ（低域効果音）に順次設定されている。
【００４３】
5．3．モード選択イベント処理
5．3．1．イベント処理の全般的動作
ユーザが小型ディスプレイ７４において所定の操作を行うと、センドレベル調整部８０および選択チャンネル領域８２ａに対する動作モードとして、「フラットモード」または「集約モード」のうち何れかの動作モードを選択することができる。動作モードを選択するイベントが検出されると、図１０(a)に示すモード選択イベント処理ルーチンが起動される。図１０(a)において処理がステップＳＰ１０に進むと、集約モードが選択されたか否かが判定される。ここで「ＹＥＳ」と判定されると処理はステップＳＰ１２に進み、後述する集約モード設定処理ルーチン（図１１）が呼び出される。当該ルーチンにあっては、集約モードの割当基準（詳細は後述する）に基づいて、ノブ９０−１〜９０−１６に対して機能が割り当てられる。一方、ステップＳＰ１０において「ＮＯ」と判定されると処理はステップＳＰ１４に進み、フラットモードの割当基準（詳細は後述する）に基づいて、ノブ９０−１〜９０−１６に対して機能が割り当てられ、本ルーチンの処理が終了する。
【００４４】
ここで、フラットモードにおける割当基準を、カテゴリに応じて説明する。
（１．１）グループが「モノラル」である場合は、当該グループに対して一のノブが割り当てられる。当該ノブには、当該グループのグループ平均レベル（選択チャンネルからのセンドレベルに等しい）の設定機能が割り当てられる。
（１．２）グループが「ステレオ」である場合は、当該グループに対して二のノブが割り当てられる。一方のノブには、選択チャンネルから当該グループへのグループ平均レベルの設定機能が割り当てられ、他方のノブには、当該グループのＰＡＮ（左右の音量バランス）の設定機能が割り当てられる。
（１．３）グループが「サラウンド」である場合は、当該グループに対してＭＩＸバスの数に等しい数（例えば５．１サラウンドであれば「６」）のノブが割り当てられる。これらのノブには、ＬＦＥを除き、選択チャンネルから当該グループへのグループ平均レベルの設定機能が割り当てられる。すなわち、ＬＦＥに係るもの以外の全てのノブは同一の機能を有し、連動する。
【００４５】
次に、集約モードにおける割当基準を、カテゴリに応じて説明する。
（２．１）グループが「モノラル」である場合は、当該グループに対して一のノブが割り当てられる。当該ノブには、選択チャンネルから当該グループへのグループ平均レベル（センドレベルに等しい）の設定機能が割り当てられる。
（２．２）グループが「ステレオ」である場合は、当該グループに対して一のノブが割り当てられる。当該ノブには、選択チャンネルから当該グループへのグループ平均レベルの設定機能と、当該グループのＰＡＮ（左右の音量バランス）の設定機能とが割り当てられる。両機能は、当該ノブを押下する毎に交互に切り替えられるが、初期状態においてはグループ平均レベルの設定機能が割り当てられる。
【００４６】
（２．３）グループが「サラウンド」であって、ＬＦＥを含む場合には、当該グループに対して二のノブが割り当てられる。一方のノブには、選択チャンネルからＬＦＥを除くＭＩＸバスへのセンドレベルの平均であるグループ平均レベルの設定機能が割り当てられ、他方のノブには、選択チャンネルからＬＦＥに係るＭＩＸバスへのセンドレベルが割り当てられる。
（２．４）グループが「サラウンド」であって、ＬＦＥを含まない場合（例えば４チャンネルステレオの場合）には、当該グループに対して一のノブが割り当てられる。当該ノブには、選択チャンネルから当該グループへのグループ平均レベル（センドレベルに等しい）の設定機能が割り当てられる。
【００４７】
上記集約モードおよびフラットモードの何れにおいても、ＭＩＸ出力チャンネルのチャンネル番号が小さい順に（より正確には、グループに属する一または複数のチャンネルのうち最小のチャンネル番号が小さい順に）、所要数のノブが、ノブ９０−１〜９０−１６に対して順次割り当てられる。上述した図７における選択チャンネル領域８２ａの表示内容は、ＭＩＸバス管理テーブル２００が図６に示した通りのものであり、動作モードがフラットモードである場合における表示内容の一例を示すものである。フラットモードにおいては、ノブ９０−１〜９０−１６およびパラメータ表示枠９２−１〜９２−１６のうち、各グループに割り当てられるノブおよびパラメータ表示枠の数は、常に当該グループにおけるＭＩＸバスの数に等しくなる。
【００４８】
図７において９８−５，９８−７はペア・マークであり、ＭＩＸバス１１６−ｋ（但しｋは奇数）と、ＭＩＸバス１１６−（ｋ＋１）とがステレオのグループを構成するとき、両者に対応するパラメータ表示枠９２−ｋ，９２−（ｋ＋１）の間に表示される。図６の例にあっては、ＭＩＸバス１１６−５，１１６−６およびＭＩＸバス１１６−７，１１６−８が各々ステレオのグループを構成しているため、図７に示すように、パラメータ表示枠９２−５，９２−６の間、およびパラメータ表示枠９２−７，９２−８の間に、ペア・マーク９８−５，９８−７が表示されている。
【００４９】
また、上記割当基準（１．２）に基づいて、ノブ９０−５，９０−７はグループ平均レベルの設定用に割り当てられ、ノブ９０−６，９０−８はグループのＰＡＮ（バランス）の設定用に割り当てられている。また、上記割当基準（１．３）に基づいて、ノブ９０−１１〜９０−１６およびパラメータ表示枠９２−１１〜９２−１６は、「５．１サラウンド」を構成するＭＩＸバス１１６−１１〜１１６−１６に対応して割り当てられる。このうち、ＬＦＥに係るノブ９０−１６は他のノブとは独立しているが、他のノブ９０−１１〜９０−１５は連動する。
【００５０】
すなわち、ノブ９０−１１〜９０−１５のうち何れかを回動操作すると、ＬＦＥ以外のセンドレベルが連動して増減し、パラメータ表示枠９２−１１〜９２−１５内のノブ画像の表示角度は同一になり、パラメータ値表示部において表示される数値も同一になる。また、モノラルである他のＭＩＸバス１１６−１〜１１６−４，１１６−９，１１６−１０には、上記割当基準（１．１）に基づいて、各々ノブ９０−１〜９０−４，９０−９，９０−１０、およびパラメータ表示枠９２−１〜９２−４，９２−９，９２−１０が一対一で割り当てられ、各ノブは対応するグループ平均レベル（センドレベル）の設定用に割り当てられている。
【００５１】
次に、ＭＩＸバス管理テーブル２００が図６に示した通りのものであり、動作モードが集約モードである場合における表示内容の一例を図８を参照し説明する。上記割当基準（１．１）と（２．１）は同一内容であるから、図８において、モノラルであるＭＩＸバス１１６−１〜１１６−４に対して、各々ノブ９０−１〜９０−４およびパラメータ表示枠９２−１〜９２−４が一対一で割り当てられている点は、図７（フラットモードの場合）と同様である。しかし、図６においてステレオを構成するＭＩＸバス１１６−５，１１６−６に対しては、上記割当基準（２．２）に基づいて、一のノブ９０−５および一のパラメータ表示枠９２−５が割り当てられている。同様に、ステレオを構成するＭＩＸバス１１６−７，１１６−８に対しては、一のノブ９０−６および一のパラメータ表示枠９２−６が割り当てられている。
【００５２】
また、モノラルであるＭＩＸバス１１６−９，１１６−１０に対しては、図７と同様に、ノブおよびパラメータ表示枠が一対一で割り当てられるが、上述のように合計「４」本のステレオおＭＩＸバス１１６−５〜１１６−８に対して各「２」個のノブおよびパラメータ表示枠を割り当てただけで足りたため、ＭＩＸバス１１６−９，１１６−１０に対しては、番号が繰り上がり、各々ノブ９０−７，９０−８およびパラメータ表示枠９２−７，９２−８が割り当てられる。次に、「５．１サラウンド」を構成するＭＩＸバス１１６−１１〜１１６−１６に対しては、上記割当基準（２．３）に基づいて、各「２」個のノブ９０−９，９０−１０およびパラメータ表示枠９２−９，９２−１０が割り当てられる。そして、ノブ９０−９はグループ平均レベル調整用に割り当てられ、ノブ９０−１０はＬＦＥに係るＭＩＸバスへのセンドレベル調整用に割り当てられる。また、モノラルであるＭＩＸバス１１６−１７〜１１６−２２に対しては、ノブ９０−１１〜９０−１６およびパラメータ表示枠９２−１１〜９２−１６が割り当てられる。
【００５３】
以上のように、フラットモードにおいては、ＭＩＸバスとノブとパラメータ表示枠との関係を一定にすることができ、操作すべきノブが直感的に解り易いという利点がある。すなわち、各ＭＩＸバスのカテゴリが如何に設定された場合であっても、ノブ９０−ｎ（１≦ｎ≦１６）およびパラメータ表示枠９２−ｎは、ＭＩＸバス１１６−ｎに関係するパラメータを設定するノブになる。しかし、「５．１サラウンド」に係るノブ９０−１１〜９０−１５の機能が重複しているため、限られた数しか設けられていないノブを無駄に占有してしまうという問題が生じる。また、ステレオを構成する二のＭＩＸバスに対しては、グループ平均レベルおよびＰＡＮの双方を調節する必要が生じるが、グループ平均レベルおよびＰＡＮを「同時に」調節すべき場合は少ないため、これに対して二のノブおよびパラメータ表示枠を割り当てることも、ノブの有効活用を妨げる。
【００５４】
これに対して、集約モードにおいては、サラウンドのカテゴリにおいて機能が重複していたノブを一のノブに統合することにより、所要ノブ数を減少させている。さらに、ステレオのカテゴリにおいては、一のノブの機能を切り替えることにより、グループ平均レベルおよびＰＡＮの設定を当該一のノブで兼用し、所要ノブ数を減少させている。これにより、ＭＩＸバスとノブとパラメータ表示枠との関係がカテゴリの設定状態に応じて区々とするが、限られた数のノブを有効に利用でき多数のセンドレベルを調節できる結果、レイヤ切替を行う頻度が少なくなるという利点が生じる。
【００５５】
5．3．2．集約モード設定処理の詳細
(1)モノラルのグループについて
ここで、上記集約モードの割当基準（２．１）〜（２．４）を実現する集約モード設定処理ルーチンの処理を図１１を参照し説明する。図において処理がステップＳＰ５０に進むと、「本ルーチンにおいて全てのノブ９０−１〜９０−１６に対して機能を割り当てた」あるいは、「本ルーチンにおいて全てのＭＩＸバス１１６−１〜１１６−９６について処理を終了した」のうち何れかの条件か満たされたか否かが判定される。ここで「ＮＯ」と判定されると処理はステップＳＰ５２に進み、未処理のＭＩＸバスのうち、最も番号の小さいＭＩＸバス（ここではＭＩＸバス１１６−ｐという）に係るチャンネルについて、管理テーブル２００からそのカテゴリが読み出される。
【００５６】
次に、処理がステップＳＰ５４に進むと、読み出されたカテゴリに基づいて処理が分岐される。まず、カテゴリがモノラルである場合、処理はステップＳＰ５８に進む。なお、この時点でノブ９０−ｑ（１≦ｑ≦１６）の中で未だ機能が割り当てられていないもののうち最も小さい数の「ｑ」を「ｎ」とし、ノブ９０−ｎに対して、選択チャンネルからＭＩＸバス１１６−ｐへのセンドレベル設定機能が割り当てられ、パラメータ表示枠９２−ｎがノブ９０−ｎに係るパラメータ表示のために割り当てられる。そして、パラメータ表示枠９２−ｎにおける、ノブ画像９４−ｎおよびパラメータ値表示部９７−ｎの表示内容が、現在の選択チャンネルからＭＩＸバス１１６−ｐへのセンドレベル等に応じて設定される。その一例を図１２(a)に示す。図示のように、モノラルにおけるノブ画像９４−ｎは、円弧と、指示値を表示するための長円とから構成されている。そして、ノブ９０−ｎに対応するパラメータ（この場合は、選択チャンネルからＭＩＸバス１１６−ｐへのセンドレベル）がメモリ１１１６から読み出され、この内容に応じて、パラメータ値表示部９７−ｎの内容およびノブ画像９４−ｎの表示角度が設定される。
【００５７】
次に、処理がステップＳＰ６６に進むと、ＭＩＸバス１１６−ｐの名称がＭＩＸバス管理テーブル２００の名称欄２０６から読み出され、チャンネル名表示部９５−ｎに表示される。また、パラメータ名表示部９６−ｎにあっては、レベル（センドレベル）の設定機能が付与されていることを表すため、「Level」の文字列が表示される。次に、処理がステップＳＰ６８に進むと、次の割当対象となるノブの番号「ｎ」が「１」だけインクリメントされる。次に、処理がステップＳＰ７０に進むと、次の処理対象となるＭＩＸバスの番号「ｐ」が「１」だけインクリメントされ、処理はステップＳＰ５０に戻る。
【００５８】
(2)ステレオのグループについて
次に、この新たなＭＩＸバス１１６−ｐについて、ステップＳＰ５２においてカテゴリが取得され、当該カテゴリが「ステレオ」であった場合には、処理はステップＳＰ５４を介してステップＳＰ５６に進む。ここでは、処理対象となるＭＩＸバスの番号「ｐ」が奇数であるか否かが判定される。ここで「ＹＥＳ」と判定されると処理はステップＳＰ６０に進み、ノブ９０−ｎ（未だ機能が割り当てられていないノブのうち最小の番号のノブ）に対して、選択チャンネルからＭＩＸバス１１６−ｐ，（ｐ＋１）へのセンドレベルの平均であるグループ平均レベルの設定機能が割り当てられ、パラメータ表示枠９２−ｎがノブ９０−ｎに係るパラメータ表示のために割り当てられる。そして、パラメータ表示枠９２−ｎにおける、ノブ画像９４−ｎおよびパラメータ値表示部９７−ｎの表示内容が、現在の選択チャンネルからＭＩＸバス１１６−ｐ，（ｐ＋１）へのグループ平均レベル等に応じて設定される。その一例を図１２(c)に示す。
【００５９】
図１２(c)のように、ステレオに係るノブ画像９４−ｎは、円弧が二重になっており、これによって二のＭＩＸバスに対するセンドレベルを連動して調整することが一見して把握できるようになっている。そして、ノブ９０−ｎに対応するパラメータ（この場合は、選択チャンネルからＭＩＸバス１１６−ｐ，（ｐ＋１）へのグループ平均レベル）がメモリ１１１６から読み出され、この内容に応じて、パラメータ値表示部９７−ｎの内容およびノブ画像９４−ｎの表示角度が設定される。次に、処理がステップＳＰ６６に進むと、ＭＩＸバス１１６−ｐの名称がＭＩＸバス管理テーブル２００の名称欄２０６から読み出され、チャンネル名表示部９５−ｎに表示される。また、パラメータ名表示部９６−ｎにあっては、レベル（グループ平均レベル）の設定機能が付与されていることを表すため、「Level」の文字列が表示される。次に、ステップＳＰ６８，ＳＰ７０の処理が実行されると、次の割当対象となるノブの番号「ｎ」および次の処理対象となるＭＩＸバスの番号「ｐ」がインクリメントされ、ステップＳＰ５０以降の処理が再び実行される。
【００６０】
そして、処理対象となるＭＩＸバス１１６−ｐのカテゴリが「ステレオ」であれば、処理はステップＳＰ５４を介してステップＳＰ５６に進む。ここで、ＭＩＸバスの番号「ｐ」が偶数であれば、ステップＳＰ５６において「ＮＯ」と判定され、処理はステップＳＰ７０に進み、次の処理対象となるＭＩＸバスの番号「ｐ」がインクリメントされ、ステップＳＰ５０以降の処理が再び実行される。すなわち、ステレオのグループについては、先に奇数番号のＭＩＸバスの処理が行われる際にノブ９０−ｎおよびパラメータ表示枠９２−ｎが当該グループについて割り当てられたため、偶数番号のＭＩＸバス１１６−ｐについて処理が行われる場合には、ノブ９０−ｎおよびパラメータ表示枠９２−ｎが新たに割り当てられることはない。
【００６１】
(3)サラウンドのグループについて
次に、この新たなＭＩＸバス１１６−ｐについて、ステップＳＰ５２においてカテゴリが取得され、当該カテゴリが「サラウンド」であった場合には、処理はステップＳＰ５４を介してステップＳＰ６２に進む。ここでは、処理対象となるＭＩＸバスの信号種別が「Ｌ（左フロント）」または「ＬＦＥ（低域効果音）」であるか否かが判定される。ここで「ＹＥＳ」と判定されると処理はステップＳＰ６４に進み、ノブ９０−ｎ（未だ機能が割り当てられていないノブのうち最小の番号のノブ）に対して、上記信号種別に基づいた機能が割り当てられる。すなわち、信号種別が「Ｌ（左フロント）」であった場合には、選択チャンネルからＬＦＥを除くＭＩＸバスへのセンドレベルの平均であるグループ平均レベルの設定機能が割り当てられる。一方、信号種別が「ＬＦＥ（低域効果音）」であった場合には、選択チャンネルからＬＦＥに係るＭＩＸバス１１６−ｐへのセンドレベルが割り当てられる。
【００６２】
さらに、ステップＳＰ６４にあっては、パラメータ表示枠９２−ｎにおける、ノブ画像９４−ｎおよびパラメータ値表示部９７−ｎの表示内容が、現在の選択チャンネルから、当該サラウンド・グループを構成する複数のＭＩＸバスに対するグループ平均レベル、あるいはＬＦＥに係るＭＩＸバスに対するセンドレベルに応じて設定される。まず、ノブ９０−ｎがグループ平均レベルに割り当てられた場合、あるいはＬＦＥに係るＭＩＸバスへのセンドレベルに割り当てられた場合の何れにおいても、このパラメータ表示枠９２−ｎにおいて、ノブ画像９４−ｎは、図１２(b)に示すように設定される。図示のように、ノブ画像９４−ｎは、図１２(c)の場合と同様に円弧が二重になっているが、内側および外側の円弧の間であって長円を除く部分は、所定の色彩で塗りつぶされている（図上ではハッチングで表記する）。
【００６３】
ここで、「所定の色彩」とは、対応するサラウンドの種別（「３．１サラウンド」、「５．１サラウンド」、「６．１サラウンド」等）に応じて異なる色彩である。これによって、ユーザは、当該ノブに対してサラウンドに係るレベル設定機能が付与されていることも、サラウンドの種別も、一見して把握することができる。一見して把握することができる。このノブ画像９４−ｎの表示角度は、対応するノブ９０−ｎに割り当てられたパラメータ値（グループ平均レベルまたはＬＦＥに係るセンドレベル）に応じて設定される。また、パラメータ値表示部９７−ｎの表示値も、当該割り当てられたパラメータ値に応じて設定される。
【００６４】
次に、処理がステップＳＰ６６に進むと、チャンネル名表示部９５−ｎおよびパラメータ名表示部９６−ｎに対して、表示すべき文字列が設定される。まず、チャンネル名表示部９５−ｎはＭＩＸバス管理テーブル２００の対応する名称欄２０６に記憶された文字列である。また、パラメータ名表示部９６−ｎは、対応するノブ９０−ｎの機能が「グループ平均レベル」の設定である場合には「Surround」と表示され、該機能がＬＦＥに係るセンドレベルの設定である場合には「LFE」と表示される。次に、ステップＳＰ６８，ＳＰ７０の処理が実行されると、次の割当対象となるノブの番号「ｎ」および次の処理対象となるＭＩＸバスの番号「ｐ」がインクリメントされ、ステップＳＰ５０以降の処理が再び実行される。
【００６５】
次に、新たなＭＩＸバス１１６−ｐが、「サラウンド」のグループに属するとともに、信号種別が「Ｌ（左フロント）」または「ＬＦＥ（低域効果音）」以外のものであった場合は、ステップＳＰ６２において「ＮＯ」と判定され、処理はステップＳＰ７０に進み、次の処理対象となるＭＩＸバスの番号「ｐ」がインクリメントされ、ステップＳＰ５０以降の処理が再び実行される。すなわち、サラウンドのグループについては、ＭＩＸバス１１６−ｐに係る信号種別が「Ｌ（左フロント）」または「ＬＦＥ（低域効果音）」以外であった場合には、ノブ９０−ｎおよびパラメータ表示枠９２−ｎが新たに割り当てられることはない。
【００６６】
一例として、サラウンドの種別が「５．１サラウンド」であった場合には、当該グループは「６」のＭＩＸバスから構成されるから、ステップＳＰ５０〜ＳＰ７０のループが「６」回繰り返される。このうち、信号種別が「Ｌ（左フロント）」および「ＬＦＥ（低域効果音）」であるＭＩＸバスは各々「１」個づつ存在するから、ステップＳＰ６４の処理が合計「２」回実行され、各「２」個のノブ９０−ｎおよびパラメータ表示枠９２−ｎが割り当てられることになる。信号種別が「Ｌ（左フロント）」であるＭＩＸバスは何れのサラウンドシステムにおいても必ず存在するから、グループ平均レベルに係るノブ９０−ｎおよびパラメータ表示枠９２−ｎは必ず割り当てられる。また、ＬＦＥ（低域効果音）に係るＭＩＸバスが存在する場合には、さらにＬＦＥ用のノブ９０−ｎおよびパラメータ表示枠９２−ｎが割り当てられる。
【００６７】
以上のようにして、ステップＳＰ５０〜ＳＰ７０のループが繰り返される毎に、ステップＳＰ７０においては処理対象となるＭＩＸバスの番号「ｐ」が「１」づつインクリメントされる。また、ノブ９０−ｎおよびパラメータ表示枠９２−ｎが新たに割り当てられた場合には、ステップＳＰ６８において、次の割当対象となるノブの番号「ｎ」もインクリメントされる。そして、全てのノブ９０−１〜９０−１６に対して機能が割り当てられ、あるいは、全てのＭＩＸバス１１６−１〜１１６−９６について処理が終了した場合には、ノブの番号「ｎ」またはＭＩＸバスの番号「ｐ」は、インクリメントされることによって実際には存在しない番号になる。ステップＳＰ５０においてその旨が検出されると、本ルーチンの処理が終了し、先に図８に示したような集約モードの割当が実現する。
【００６８】
5．4．ノブ押下イベント処理
上述したように、ノブ９０−１〜９０−１６は、回動操作とともに押下操作も検出できるようになっている。そして、ステレオのカテゴリに係るノブは、ノブの押下毎に「グループ平均レベルの設定」または「ＰＡＮの設定」の機能が交互に切り替えられる。一方、モノラルおよびサラウンドのカテゴリに係るノブは、ノブが押下されたとしても、機能が切り替わることはない。まず、モノラルのカテゴリについては、そもそも「ＰＡＮの設定」という概念が生じないためである。また、サラウンドについては、音像位置を定めるためには２次元のポインティングデバイスやジョイスティックなどを用いることが一般的であり、ノブを用いて音像位置を定めるという要請が少ないためである。
【００６９】
上述した動作の詳細を図１０(b)を参照し説明する。ユーザによって何れかのノブ９０−ｎ（１≦ｎ≦１６）が押下されると、図１０(b)に示すノブ押下イベント処理ルーチンが起動される。同ルーチンにおいて処理がステップＳＰ２０に進むと、現在のノブ９０−ｎの機能は「レベル（グループ平均レベルまたはセンドレベル）の設定」であるか否かが判定される。ここで「ＮＯ」と判定されると処理はステップＳＰ２８に進む。なお、ステップＳＰ２０において「ＮＯ」と判定される場合とは、ステレオのノブにおいてＰＡＮの設定機能が付与されている場合である。ステップＳＰ２８においては、ノブ９０−ｎに対して「グループ平均レベルの設定」機能が割り当てられる。そして、対応するＭＩＸバスのカテゴリはステレオであるから、パラメータ表示枠９２−ｎの内容は、例えば図１２(c)に示すように更新される。一方、ステップＳＰ２０において「ＹＥＳ」と判定されると、処理はステップＳＰ２２に進み、当該ノブ９０−ｎにおいてＰＡＮの設定が可能であるか否かが判定される。上述のように、ノブ９０−ｎに係るカテゴリがモノラルまたはサラウンドである場合はＰＡＮの設定は不可能であるためここで「ＮＯ」と判定され、実質的な処理が行われることなく、本ルーチンの処理が終了する。すなわち、ノブ９０−ｎに対する押下操作は無視される。
【００７０】
一方、ノブ９０−ｎに係るカテゴリがステレオであった場合には、ノブ９０−ｎによるＰＡＮの設定は可能であるため、ステップＳＰ２２において「ＹＥＳ」と判定され、処理はステップＳＰ２４に進む。ここでは、当該ノブ９０−ｎに対して、ＰＡＮの設定機能が付与される。そして、対応するノブ画像９４−ｎの内容は、例えば図１２(d)に示すように更新される。図示のように、ノブ画像９４−ｎは、図１２(b)，(c)の場合と同様に円弧が二重になっているが、内側の円弧と長円とに囲まれた部分が、所定の色彩で塗りつぶされている（図上ではハッチングで表記する）。これによって、ユーザは、当該ノブに対してＰＡＮの設定機能が付与されていることを一見して把握することができる。以上により、本ルーチンの処理が終了する。
【００７１】
6．変形例
本発明は上述した実施例に限定されるものではなく、例えば以下のように種々の変形が可能である。
(1)上記実施例においては、コンソール１１００，１２００、エンジン１３００、マイク・コントローラ１４００、アンプコントローラ１５００、およびその他音声機器１６００等の装置を別々の筐体内に収容し、これらの装置をＩＰ網１０００で接続したが、これらの装置の全部または一部を同一の筐体内に収納してもよい。
【００７２】
(2)また、上記実施例の割当基準（２．３）によれば、グループが「サラウンド」であって、ＬＦＥを含む場合には、当該グループに対して二のノブが割り当てられたが、一のノブを割り当てるようにしてもよい。かかる場合、当該ノブには「グループ平均レベルの設定機能」と、「ＬＦＥのセンドレベルの設定機能」とが割り当てられ、ノブの押下イベントが発生する毎に、両機能を交互に切り替えるようにするとよい。
【符号の説明】
【００７３】
２：電動フェーダ、４：文字表示器、６：ＣＵＥボタン、８：ｆボタン、１０：ＳＥＬボタン、１２：オン／オフ・ボタン、１４，１８：ノブ、７０：メイン・チャンネルストリップ群、７０−１：チャンネルストリップ、７０−１〜７０−１６：チャンネルストリップ、７２：音質調整部、７４：小型ディスプレイ、７６−Ｌ，７６−Ｒ：チャンネルストリップ、８０：センドレベル調整部、８２：左メインディスプレイ、８２ａ：選択チャンネル領域（画像表示手段）、８４：右メインディスプレイ、９０−１〜９０−１６：ノブ、９２−１〜９２−１６：パラメータ表示枠、９４−１−９４−１６：ノブ画像（レベル表示画像）、９５−１〜９５−１６：チャンネル名表示部、９６−１〜９６−１６：パラメータ名表示部、９７−１：パラメータ値表示部、９８−５，９８−７：ペア・マーク、１０２：アナログ入力部、１０４：デジタル入力部、１０６：内蔵エフェクタ部、１０８：入力パッチ部、１１０：ステレオ入力チャンネル調整部、１１２：入力チャンネル調整部、１１２−ｎ：第ｎ入力チャンネル調整部、１１４：エフェクトリターン部、１１６：ＭＩＸバス群、１１６−１〜１１６−９６：ＭＩＸバス（ミキシングバス）、１１８：ステレオバス、１２０：ステレオ出力チャンネル部、１２２：ＭＩＸ出力チャンネル部、１２２−ｍ：第ｍＭＩＸ出力チャンネル部、１２３：マトリクスバス群、１２４：マトリクス出力チャンネル部、１２６：出力パッチ部、１２８：アナログ出力部、１３０：デジタル出力部、１５０，１７０，１８０：音質調整部、１５２：チャンネル遅延部、１５４：音量調整部、１５６：オンオフ切換部、１５８：ステレオセンドオンオフ切換部、１６０：ＰＡＮ設定部、１６２−１〜１６２−９６：信号切換部、１６４−１〜１６４−９６：センドレベル調節部、１６６−１〜１６６−９６：センドオンオフ切換部、１７２−Ｌ，Ｒ：音量調整部、１７４−Ｌ，Ｒ：オンオフ切換部、１７６−Ｌ，Ｒ：チャンネル遅延部、１８２：音量調整部、１８４：オンオフ切換部、１８６：チャンネル遅延部、２００：ＭＩＸバス管理テーブル、２０２：チャンネル番号欄、２０４：カテゴリ欄、２０６：名称欄、２０８：グループＩＤ欄、１０００：ＩＰ網、１１００：メイン・コンソール、１１１０：パネル表示器群、１１１２：パネル操作子群、１１１４：ＣＰＵ、１１１６：メモリ（テーブル記憶手段）、１１１８：コンソールＩ／Ｏ部、１１２０：ＣＰＵバス、１１２２：電動フェーダ群、１１２４：音声Ｉ／Ｏ部、１１２６：ＤＳＰ、１１２８：ネットワークＩ／Ｏ部、１１３０：オーディオバス、１１３２：その他Ｉ／Ｏ部、１２００：サブ・コンソール、１３００：エンジン、１３１０：パネル表示器群、１３１２：パネル操作子群、１３１４：ＣＰＵ、１３１６：メモリ、１３２６：ＤＳＰ、１３２８：ネットワークＩ／Ｏ部、１３３０：オーディオバス、１３３２：その他Ｉ／Ｏ部、１４００：マイク・コントローラ、１４０２：マイク、１５００：アンプコントローラ、１５０２：アンプ、１５０４：スピーカ、１６００：その他音声機器。
【図１】
2010226437.tif 000003
【図２】
2010226437.tif 000004
【図３】
2010226437.tif 000005
【図４】
2010226437.tif 000006
【図５】
2010226437.tif 000007
【図６】
2010226437.tif 000008
【図７】
2010226437.tif 000009
【図８】
2010226437.tif 000010
【図９】
2010226437.tif 000011
【図１０】
2010226437.tif 000012
【図１１】
2010226437.tif 000013
【図１２】
2010226437.tif 000014